(57)【要約】【課題】  包装体のシール強度を十分に確保することができるとともに、包装体の開口部を容易に開くことができる包装体を提供する。【解決手段】  シート部材を貼着した貼着領域が外周に形成された包装体１は、貼着領域の少なくとも１部に開口部３を有し、開口部３は、山形を呈し、シート部材が貼着されていない非貼着部７ａと、その非貼着部７ａを挟んで形成され、シート部材が貼着された複数の貼着部３ａ及び貼着部３ｂとによって形成されている。【選択図】  図１
2020124422.tif 000002
【特許請求の範囲】
【請求項１】
シート部材を重ねて貼着した貼着領域を外周に形成した包装体において、
前記貼着領域の少なくとも１部に開口部を有し、
前記開口部は、山形を呈し、前記シート部材が貼着されていない非貼着部と、その非貼着部を挟んで形成され、前記シート部材が貼着された複数の貼着部とによって形成されていることを特徴とする包装体。
【請求項２】
前記開口部の幅は、前記貼着領域のうち前記開口部以外の領域の幅と同一であることを特徴とする請求項１に記載の包装体。
【請求項３】
前記貼着部の前記山形の頂点近傍における幅は、前記山形の頂点近傍以外の領域における幅よりも小さくなっていることを特徴とする請求項１または請求項２に記載の包装体。
【請求項４】
前記貼着部の幅は、前記開口部の前記山形の頂点に向かって徐々に小さくなっており、前記非接着部の幅は、前記開口部の前記山形の頂点に向かって徐々に大きくなっていることを特徴とする請求項１または請求項２に記載の包装体。
【請求項５】
前記貼着部は、その底辺に対する角度が前記開口部の前記山形の頂点に向かって徐々に大きくなっていることを特徴とする請求項１乃至請求項４の何れかに記載の包装体。
【発明の詳細な説明】
【技術分野】
【０００１】
本発明は、包装体に関する。
【背景技術】
【０００２】
従来から、ガイドワイヤ等の長尺状の医療部材を収納した収納物は、滅菌されて包装体に収納されるのが一般的である。
【０００３】
例えば、特許文献１には、ガイドワイヤ収納物を収納した包装体が記載されている（図１等参照）。
【０００４】
特許文献１に記載の包装体は、２枚のシート材を重ね合わせて、シート材の周縁をシールすることによってガイドワイヤ収納物の収納空間を形成している。
【先行技術文献】
【特許文献】
【０００５】
【特許文献１】特開２０１１−１９４１２８号公報
【発明の概要】
【発明が解決しようとする課題】
【０００６】
しかしながら、特許文献１に記載の包装体は、シート材の周縁全体が略同一幅でシールされていることから、包装体のシール強度は十分に確保されている一方で、ガイドワイヤ収納物を包装体から取り出す際には、包装体を容易に開口できないという問題があった。
【０００７】
一方で、包装体の輸送を考慮した場合には、ガイドワイヤ収納物を収納する為の包装体のシール強度は十分に確保されている必要がある。
【０００８】
本発明は、従来技術が有する上述した問題に対応してなされたものであり、包装体のシール強度を十分に確保することができるとともに、包装体の開口部を容易に開くことができる包装体を提供することを目的とする。
【課題を解決するための手段】
【０００９】
上述した課題を解決するために、本発明の第１の態様は、シート部材を重ねて貼着した貼着領域を外周に形成した包装体において、前記貼着領域の少なくとも１部に開口部を有し、前記開口部は、山形を呈し、前記シート部材が貼着されていない非貼着部と、その非貼着部を挟んで形成され、前記シート部材が貼着された複数の貼着部とによって形成されていることを特徴とする。
【００１０】
また、本発明の第２の態様は、第１の態様の包装体において、前記開口部の幅は、前記貼着領域のうち前記開口部以外の領域の幅と同一であることを特徴とする。
【００１１】
また、本発明の第３の態様は、第１の態様または第２の態様の包装体において、前記貼着部の前記山形の頂点近傍における幅は、前記山形の頂点近傍以外の領域における幅よりも小さくなっていることを特徴とする。
【００１２】
また、本発明の第４の態様は、第１の態様または第２の態様の包装体において、前記貼着部の幅は、前記開口部の前記山形の頂点に向かって徐々に小さくなっており、前記非接着部の幅は、前記開口部の前記山形の頂点に向かって徐々に大きくなっていることを特徴とする。
【００１３】
さらに、本発明の第５の態様は、第１の態様乃至第４の態様の何れかの包装体において、前記貼着部は、その底辺に対する角度が前記開口部の前記山形の頂点に向かって徐々に大きくなっていることを特徴とする。
【発明の効果】
【００１４】
本発明の第１の態様によれば、シート部材を貼着した貼着領域が外周に形成された包装体において、貼着領域の少なくとも１部に開口部を有し、開口部は、山形を呈し、シート部材が貼着されていない非貼着部と、その非貼着部を挟んで形成され、シート部材が貼着された複数の貼着部とによって形成されているので、包装体のシール強度を十分に確保することができるとともに、包装体の開口部を容易に開くことができる。
【００１５】
また、本発明の第２の態様によれば、第１の態様の包装体において、開口部の幅は、貼着領域のうち開口部以外の領域の幅と同一であるので、第１の態様の包装体の効果に加え、包装体のシール強度を十分に確保することができるとともに、包装体の開口部をさらに容易に開くことができる。
【００１６】
また、本発明の第３の態様によれば、第１の態様または第２の態様の包装体において、貼着部の山形の頂点近傍における幅は、山形の頂点近傍以外の領域における幅よりも小さくなっているので、第１の態様または第２の態様の包装体の効果に加え、包装体の開口部をさらに容易に開くことができる。
【００１７】
また、本発明の第４の態様によれば、第１の態様または第２の態様の包装体において、貼着部の幅は、開口部の山形の頂点に向かって徐々に小さくなっており、非接着部の幅は、開口部の山形の頂点に向かって徐々に大きくなっているので、第１の態様または第２の態様の包装体の効果に加え、包装体の開口部をさらに容易に開くことができる。
【００１８】
さらに、本発明の第５の態様によれば、第１の態様乃至第４の態様の何れかの包装体において、貼着部は、その底辺に対する角度が開口部の山形の頂点に向かって徐々に大きくなっているので、第１の態様乃至第４の態様の何れかの包装体の効果に加え、包装体の開口部をさらに容易に開くことができる。
【図面の簡単な説明】
【００１９】
【図１】本発明の第１実施形態の包装体の全体平面図である。
【図２】図１のＡ部拡大平面図である。
【図３】第２実施形態の包装体の部分拡大平面図である。
【図４】第３実施形態の包装体の部分拡大平面図である。
【図５】第４実施形態の包装体の部分拡大平面図である。
【図６】第５実施形態の包装体の部分拡大平面図である。
【図７】第６実施形態の包装体の部分拡大平面図である。
【発明を実施するための形態】
【００２０】
以下、本発明の実施形態について、図面を参照して説明する。
【００２１】
（第１実施形態）
先ず、本発明の第１実施形態について説明する。
【００２２】
図１は、本発明の第１実施形態の包装体の全体平面図であり、図２は、図１のＡ部拡大平面図である。
【００２３】
図１及び図２に示すように、包装体１は、ガイドワイヤ等の長尺状の医療部材１０２を収納した医療部材収納物１００を収容するための袋であり、２枚のシート材を重ね合わせて、それらの周縁をヒートシール等により貼着することによって袋状に構成されている。
【００２４】
各シート材は、矩形状の軟質シート（可撓性を有するシート）から構成されており、同一サイズに形成されている。
【００２５】
包装体１は、先ず、２枚のシート材を重ね合わせた状態で、シート材の周縁のうち、左辺、右辺および上部をヒートシールすることにより貼着部５ａ、貼着部５ｂ及び開口部３のシール部が形成される。
【００２６】
開口部３のシール部は、包装体１の上側に凸となるように屈曲した広角の略Ｖ字形状の山形を呈しており、貼着部５ａ及び貼着部５ｂの上端に連結した貼着部３ｂと、その貼着部３ｂの上側に隣接し、２枚のシート材が貼着されていない非貼着部７ａと、その非貼着部７ａの上側に隣接する貼着部３ａとから構成されている。
【００２７】
なお、包装体１は、医療部材収納物１００が収納されていない状態ではその底辺が開口しており、包装体１内に医療部材収納物１００を収納した後に底辺をヒートシールすることにより貼着部５ｃが形成される。
【００２８】
収納空間Ｓは、貼着部５ａ、貼着部５ｂ、貼着部５ｃ及び貼着部３ｂで囲まれることによって平面視五角形となっており、貼着部３ｂの頂角θ１は、１５０°〜１７０°であることが好ましい。また、貼着部３ａの頂角も、１５０°〜１７０°であることが好ましい。
【００２９】
包装体１を構成する２枚のシート材は、ガス透過性を有しているのが好ましい。具体的には、シート材は、エチレンオキシドや過酸化水素等の滅菌ガスを透過するが、水分やバクテリア等の細菌は透過しないバリア性フィルムであることが好ましい。
【００３０】
これにより、包装体１内に医療部材収納物１００を収納した後に、シート材を介して収納空間Ｓ内に滅菌ガスを透過させることにより、医療部材収納物１００の滅菌を行うことができる。
【００３１】
このようなシート材の構成材料としては、例えば、ポリエチレンテレフタレート（ＰＥＴ）等のポリエステル、ポリプロピレン（ＰＰ）、ポリスチレン（ＰＳ）、ポリエチレン（ＰＥ）等のポリオレフィン、ポリ塩化ビニル（ＰＶＣ）、ポリメチルメタクリレート（ＰＭＭＡ）、ポリエーテルスルホン（ＰＥＳ）、ポリプロピレンとエチレンビニルアルコール（ＥＶＯＨ）、ポリプロピレンとポリエチレン、ナイロンとポリプロピレン等を使用することができる。
【００３２】
なお、シート材のうち、開口部３の貼着部３ａ及び貼着部３ｂには接着層を形成しても良い。接着層は、開口部３を剥離可能にヒートシールするための層である。
【００３３】
このような接着層の構成材料としては、シート材の構成材料等によっても異なるが、例えば、エチレン−酢酸ビニル系樹脂、エチレン−アクリル酸系樹脂、エチレン−酢酸ビニル系樹脂、エチレン−アクリル酸系樹脂等のオレフィン系樹脂、塩化ビニル−酢酸ビニル共重合体、２液硬化型ウレタン系ドライラミネート接着剤等を使用することができる。
【００３４】
なお、包装体１の上部には、包装体１を係止する為の孔２が形成されている。
【００３５】
本実施形態の包装体１によれば、シート部材を貼着した貼着領域が外周に形成された包装体において、貼着領域の少なくとも１部に開口部３を有し、開口部３は、山形を呈し、シート部材が貼着されていない非貼着部７ａと、その非貼着部７ａを挟んで形成され、シート部材が貼着された複数の貼着部３ａ及び貼着部３ｂとによって形成されているので、包装体１のシール強度を十分に確保することができるとともに、包装体１の開口部３を容易に開くことができる。
【００３６】
（第２実施形態）
次に、本発明の第２実施形態について説明する。
【００３７】
図３は、第２実施形態の包装体の部分拡大平面図である。
【００３８】
なお、本実施形態においては、第１実施形態と同一の部材については同一の番号を付し、説明を省略する。また、本実施形態の包装体の全体平面図は、図１とほぼ同一であるので省略する。
【００３９】
また、本実施形態及び後述する他の実施形態における、包装体の製造方法、シート材のサイズ、シート材の材質、シート材に接着剤を形成する場合の接着剤の材質及び収納空間Ｓの形状は、第１実施形態と同一であり、本実施形態及び後述する他の実施形態において説明を省略する。
【００４０】
図３に示すように、包装体１０は、医療部材収納物１００を収容するための袋であり、２枚のシート材を重ね合わせて、それらの周縁をヒートシール等により貼着することによって袋状に構成されている。
【００４１】
開口部１３のシール部は、包装体１０の上側に凸となるように屈曲した広角の略Ｖ字形状の山形を呈しており、貼着部１５ａ及び貼着部１５ｂの上端に連結した貼着部１３ｃと、その貼着部１３ｃの上側に隣接し、２枚のシート材が貼着されていない非貼着部１７ｂと、その非貼着部１７ｂの上側に隣接する貼着部１３ｂと、その貼着部１３ｂの上側に隣接し、２枚のシート材が貼着されていない非貼着部１７ａと、その非貼着部１７ａの上側に隣接する貼着部１３ａとから構成されている。
【００４２】
貼着部３ｃの頂角、貼着部３ｂの頂角及び貼着部３ａの頂角は、１５０°〜１７０°であることが好ましい。
【００４３】
本実施形態の包装体１０によれば、シート部材を貼着した貼着領域が外周に形成された包装体において、貼着領域の少なくとも１部に開口部１３を有し、開口部１３は、山形を呈し、シート部材が貼着されていない非貼着部１７ａと、その非貼着部１７ａを挟んで形成され、シート部材が貼着された複数の貼着部１３ａ及び貼着部１３ｂと、シート部材が貼着されていない非貼着部１７ｂと、その非貼着部１７ｂを挟んで形成され、シート部材が貼着された複数の貼着部１３ｂ及び貼着部１３ｃとによって形成されているので、包装体１０のシール強度をさらに十分に確保することができるとともに、包装体１の開口部１３を容易に開くことができる。
【００４４】
なお、本実施形態においては、貼着部の本数を３本、非貼着部の本数を２本とし、第１実施形態においては、貼着部の本数を２本、非貼着部の本数を１本として説明したが、これらの実施形態及び後述する他の実施形態において、貼着部の本数は、複数本（２本以上）であれば良く、非貼着部の本数は、１本以上であれば良い。
【００４５】
（第３実施形態）
次に、本発明の第３実施形態について説明する。
【００４６】
図４は、第３実施形態の包装体の部分拡大平面図である。
【００４７】
なお、本実施形態においては、第１実施形態と同一の部材については同一の番号を付し、説明を省略する。また、本実施形態の包装体の全体平面図は、図１とほぼ同一であるので省略する。
【００４８】
図４に示すように、包装体２０は、医療部材収納物１００を収容するための袋であり、２枚のシート材を重ね合わせて、それらの周縁をヒートシール等により貼着することによって袋状に構成されている。
【００４９】
開口部２３のシール部は、包装体２０の上側に凸となるように屈曲した広角の略Ｖ字形状の山形を呈しており、貼着部２５ａ及び貼着部２５ｂの上端に連結した貼着部２３ｂと、その貼着部２３ｂの上側に隣接し、２枚のシート材が貼着されていない非貼着部２７ａと、その非貼着部２７ａの上側に隣接する貼着部２３ａとから構成されている。
【００５０】
なお、本実施形態の開口部２３の幅ｄ１は、貼着部２５ａ及び貼着部２５ｂの幅ｄ２と同一である。
【００５１】
また、貼着部２３ｂの頂角及び貼着部２３ａの頂角は、１５０°〜１７０°であることが好ましい。
【００５２】
本実施形態の包装体２０によれば、シート部材を貼着した貼着領域が外周に形成された包装体において、貼着領域の少なくとも１部に開口部２３を有し、開口部２３は、山形を呈し、シート部材が貼着されていない非貼着部２７ａと、その非貼着部２７ａを挟んで形成され、シート部材が貼着された複数の貼着部２３ａ及び貼着部２３ｂとによって形成されており、開口部２３の幅ｄ１は、貼着部２５ａ及び貼着部２５ｂの幅ｄ２と同一であるので、包装体２０のシール強度を十分に確保することができるとともに、包装体２０の開口部２３をさらに容易に開くことができる。
【００５３】
（第４実施形態）
次に、本発明の第４実施形態について説明する。
【００５４】
図５は、第４実施形態の包装体の部分拡大平面図である。
【００５５】
なお、本実施形態においても、第１実施形態と同一の部材については同一の番号を付し、説明を省略する。また、本実施形態の包装体の全体平面図は、図１とほぼ同一であるので省略する。
【００５６】
図５に示すように、包装体３０は、医療部材収納物１００を収容するための袋であり、２枚のシート材を重ね合わせて、それらの周縁をヒートシール等により貼着することによって袋状に構成されている。
【００５７】
開口部３３のシール部は、包装体３０の上側に凸となるように屈曲した広角の略Ｖ字形状の山形を呈しており、貼着部３５ａ及び貼着部３５ｂの上端に連結した貼着部３３ｂと、その貼着部３３ｂの上側に隣接し、２枚のシート材が貼着されていない非貼着部３７ａと、その非貼着部３７ａの上側に隣接する貼着部３３ａとから構成されている。
【００５８】
なお、本実施形態の貼着部３３ｂの幅ｄ４は、山形の頂点近傍における幅が、他の領域における幅よりも小さくなっている。
【００５９】
具体的には、貼着部３３ｂは、幅ｄ４が貼着部３５ａまたは貼着部３５ｂの上端との連結部において最も大きく、そこから頂点に向かって徐々に小さくなる貼着部３３ｂ１と、その貼着部３３ｂ１に連結し、幅ｄ４が階段状に小さくなる貼着部３３ｂ２と、その貼着部３３ｂ２に連結し、幅ｄ４が頂点に向かって同一幅の貼着部３３ｂ３とから構成されている。
【００６０】
また、本実施形態の貼着部３３ａの幅ｄ３も、山形の頂点近傍における幅が、他の領域における幅よりも小さくなっている。
【００６１】
具体的には、貼着部３３ａは、幅ｄ３が左端部及び右端部において最も大きく、そこから頂点に向かって徐々に小さくなる貼着部３３ａ１と、その貼着部３３ａ１に連結し、幅ｄ３が階段状に小さくなる貼着部３３ａ２と、その貼着部３３ａ２に連結し、幅ｄ３が頂点に向かって同一幅の貼着部３３ａ３とから構成されている。
【００６２】
一方、本実施形態の非貼着部３７ａの幅ｄ５は、山形の頂点近傍における幅が、他の領域における幅よりも大きくなっている。
【００６３】
具体的には、非貼着部３７ａは、幅ｄ５が左端部及び右端部において最も小さく、そこから頂点に向かって徐々に大きくなる非貼着部３７ａ１と、その非貼着部３７ａ１に連結し、幅ｄ５が階段状に大きくなる非貼着部３７ａ２と、その貼着部３７ａ２に連結し、幅ｄ５が頂点に向かって同一幅の貼着部３７ａ３とから構成されている。
【００６４】
なお、貼着部３３ｂの頂角及び貼着部３３ａの頂角は、１５０°〜１７０°であることが好ましい。
【００６５】
本実施形態の包装体３０によれば、シート部材を貼着した貼着領域が外周に形成された包装体において、貼着領域の少なくとも１部に開口部３３を有し、開口部３３は、山形を呈し、シート部材が貼着されていない非貼着部３７ａと、その非貼着部３７ａを挟んで形成され、シート部材が貼着された複数の貼着部３３ａ及び貼着部３３ｂとによって形成されており、貼着部３３ｂの幅ｄ４及び貼着部３３ａの幅ｄ３は、山形の頂点近傍における幅が、他の領域における幅よりも小さくなっているので、包装体３０のシール強度を十分に確保することができるとともに、包装体３０の開口部３３をさらに容易に開くことができる。
【００６６】
（第５実施形態）
次に、本発明の第５実施形態について説明する。
【００６７】
図６は、第５実施形態の包装体の部分拡大平面図である。
【００６８】
なお、本実施形態においても、第１実施形態と同一の部材については同一の番号を付し、説明を省略する。また、本実施形態の包装体の全体平面図は、図１とほぼ同一であるので省略する。
【００６９】
図６に示すように、包装体４０は、医療部材収納物１００を収容するための袋であり、２枚のシート材を重ね合わせて、それらの周縁をヒートシール等により貼着することによって袋状に構成されている。
【００７０】
開口部４３のシール部は、包装体４０の上側に凸となるように屈曲した広角の略Ｖ字形状の山形を呈しており、貼着部４５ａ及び貼着部４５ｂの上端に連結した貼着部４３ｂと、その貼着部４３ｂの上側に隣接し、２枚のシート材が貼着されていない非貼着部４７ａと、その非貼着部４７ａの上側に隣接する貼着部４３ａとから構成されている。
【００７１】
なお、本実施形態の貼着部４３ｂの幅ｄ７は、開口部４３の山形の頂点に向かって徐々に小さくなっている。
【００７２】
また、本実施形態の貼着部４３ａの幅ｄ６も、開口部４３の山形の頂点に向かって徐々に小さくなっている。
【００７３】
一方、本実施形態の非貼着部４７ａの幅ｄ８は、開口部４３の山形の頂点に向かって徐々に大きくなっている。
【００７４】
なお、貼着部４３ｂの頂角及び貼着部４３ａの頂角は、１５０°〜１７０°であることが好ましい。
【００７５】
本実施形態の包装体４０によれば、シート部材を貼着した貼着領域が外周に形成された包装体において、貼着領域の少なくとも１部に開口部４３を有し、開口部４３は、山形を呈し、シート部材が貼着されていない非貼着部４７ａと、その非貼着部４７ａを挟んで形成され、シート部材が貼着された複数の貼着部４３ａ及び貼着部４３ｂとによって形成されており、貼着部４３ｂの幅ｄ６及び貼着部４３ａの幅ｄ７は、開口部４３の山形の頂点に向かって徐々に小さくなっており、非貼着部４７ａ幅８は、開口部４３の山形の頂点に向かって徐々に大きくなっているので、包装体４０のシール強度を十分に確保することができるとともに、包装体４０の開口部４３をさらに容易に開くことができる。
【００７６】
（第６実施形態）
次に、本発明の第６実施形態について説明する。
【００７７】
図７は、第６実施形態の包装体の部分拡大平面図である。
【００７８】
なお、本実施形態においても、第１実施形態と同一の部材については同一の番号を付し、説明を省略する。また、本実施形態の包装体の全体平面図は、図１とほぼ同一であるので省略する。
【００７９】
図７に示すように、包装体５０は、医療部材収納物１００を収容するための袋であり、２枚のシート材を重ね合わせて、それらの周縁をヒートシール等により貼着することによって袋状に構成されている。
【００８０】
開口部５３のシール部は、包装体５０の上側に凸となるように屈曲した広角の略Ｖ字形状の山形を呈しており、貼着部５５ａ及び貼着部５５ｂの上端に連結した貼着部５３ｂと、その貼着部５３ｂの上側に隣接し、２枚のシート材が貼着されていない非貼着部５７ａと、その非貼着部５７ａの上側に隣接する貼着部５３ａとから構成されている。
【００８１】
なお、貼着部５３ｂは、その底辺Ｌに対する角度θ３が開口部５３の山形の頂点に向かって徐々に大きくなっている。
【００８２】
また、貼着部５３ａ及び非貼着部５７ａも、その底辺Ｌに対する角度θ３が開口部５３の山形の頂点に向かって徐々に大きくなっている。
【００８３】
なお、貼着部５３ｂの頂角及び貼着部５３ａの頂角は、１５０°〜１７０°であることが好ましい。
【００８４】
本実施形態の包装体５０によれば、シート部材を貼着した貼着領域が外周に形成された包装体において、貼着領域の少なくとも１部に開口部５３を有し、開口部５３は、山形を呈し、シート部材が貼着されていない非貼着部５７ａと、その非貼着部５７ａを挟んで形成され、シート部材が貼着された複数の貼着部５３ａ及び貼着部５３ｂとによって形成されており、貼着部５３ａ及び貼着部５３ｂは、その底辺Ｌに対する角度θ３が開口部５３の山形の頂点に向かって徐々に大きくなっているので、包装体５０のシール強度を十分に確保することができるとともに、包装体５０の開口部５３をさらに容易に開くことができる。
【００８５】
なお、本実施形態の包装体５０における、貼着部が、その底辺に対する角度が開口部の山形の頂点に向かって徐々に大きくなっている点は、第４実施形態の包装体３０及び第５実施形態の包装体４０においても適用可能である。
【符号の説明】
【００８６】
１，１０，２０，３０，４０，５０・・・包装体
３，１３，２３，３３，４３，５３・・・開口部
３ａ，３ｂ，５ａ，５ｂ，５ｃ，１３ａ，１３ｂ，１３ｃ，１５ａ，１５ｂ，２３ａ，２３ｂ，２５ａ，２５ｂ，３３ａ，３３ｂ，３５ａ，
３５ｂ，４３ａ，４３ｂ，４５ａ，４５ｂ，５３ａ，５３ｂ，５５ａ，５５ｂ・・・貼着部
７ａ，１７ａ，２７ａ，３７ａ，４７ａ，５７ａ・・・非貼着部
１００・・・医療部材収納物
Ｌ・・・底辺
【図１】
2020124422.tif 000003
【図２】
2020124422.tif 000004
【図３】
2020124422.tif 000005
【図４】
2020124422.tif 000006
【図５】
2020124422.tif 000007
【図６】
2020124422.tif 000008
【図７】
2020124422.tif 000009